(57)【要約】【課題】出口ガイド板の機能を維持しつつ、省スペース化が可能な定着装置及び該定着装置を用いた画像形成装置を提供する。【解決手段】定着ニップ部Ｎのシート排出側で、加圧ローラ１３を覆う位置に配置されガイド面１７ｂが定着ニップ部Ｎを通過したシートの当該定着装置外への搬送をガイドする位置となる閉状態と、加圧ローラ１３を覆う位置から退避した位置に配置され定着ニップ部Ｎを外部に露出させる開状態とに切替可能な出口ガイド板１７が閉状態に配置されるとき、出口ガイド板１７のガイドアーム１７ａに設けられた突き当て部１７ｃと、フレーム１９に設けられた受け部１９ａとが当接して、加圧ローラ１３及び定着ニップ部Ｎに対する出口ガイド板１７の位置が決められ、突き当て部１７ｃが磁石１７ｄを内包し、受け部１９ａが強磁性体から構成されることにより、突き当て部１７ｃが受け部１９ａに所定の力で固定される。【選択図】図３
2010085603.tif 000002
【特許請求の範囲】
【請求項１】
回動可能に設けられる定着部材と、
前記定着部材に当接し定着ニップ部を形成する加圧部材と、
前記定着ニップ部のシート排出側で、前記加圧部材を覆う位置に配置されガイド面が該定着ニップ部を通過したシートの当該定着装置外への搬送をガイドする位置となる閉状態と、前記加圧部材を覆う位置から退避した位置に配置され前記定着ニップ部を外部に露出させる開状態とに切替可能な搬送ガイド部と、
前記定着部材、加圧部材、搬送ガイド部を収納及び支持するフレームと、を備える定着装置であって、
前記搬送ガイド部が閉状態に配置されるとき、前記搬送ガイド部に設けられた突き当て部と、フレームに設けられた受け部とが当接して、前記加圧部材及び定着ニップ部に対する搬送ガイド部の位置が決められ、
前記突き当て部、受け部のうち、いずれか一方が磁石を含み、他方が強磁性体から構成されることにより、該突き当て部が受け部に所定の力で固定される定着装置。
【請求項２】
前記突き当て部は、前記搬送ガイド部においてシート幅方向の２ヶ所に設けられる請求項１に記載の定着装置。
【請求項３】
前記磁石は、キュリー温度が１５０℃より大の永久磁石である請求項１に記載の定着装置。
【請求項４】
前記突き当て部は磁石を内包し、前記受け部は強磁性体から構成される請求項１に記載の定着装置。
【請求項５】
前記搬送ガイド部は、前記突き当て部を含めた一体成型品である請求項４に記載の定着装置。
【請求項６】
前記突き当て部における受け部との当接部分から磁石までの肉厚は、２ｍｍ以下である請求項４に記載の定着装置。
【請求項７】
前記突き当て部は、凹部を有し、該凹部に前記磁石が挿入されてなる請求項４に記載の定着装置。
【請求項８】
前記磁石の凹部への挿入方向は、前記搬送ガイド部の開閉切替による突き当て部の移動方向とは異なる請求項７に記載の定着装置。
【請求項９】
前記搬送ガイド部は、前記ガイド面と、一端が該ガイド面に連設され、他端がフレームに回動可能な支点として固定されたガイドアームとからなり、該ガイドアームの回動操作により当該搬送ガイド部の開閉切替が行われる請求項１に記載の定着装置。
【請求項１０】
前記突き当て部は、前記ガイドアームにおける前記ガイド面と支点との間に設けられる請求項９に記載の定着装置。
【請求項１１】
前記ガイドアームは、前記フレームにおいてシート幅方向左右それぞれに配置された側板よりも内側に配置され、
前記突き当て部及び受け部は、隣接するガイドアームと側板との間に設けられる請求項９に記載の定着装置。
【請求項１２】
前記突き当て部が受け部に固定される力は、前記搬送ガイド部全体として２００〜５００ｇｆとなる請求項１に記載の定着装置。
【請求項１３】
請求項１〜１２のいずれかに記載の定着装置を備える画像形成装置。
【発明の詳細な説明】
【技術分野】
【０００１】
本発明は、電子写真方式の画像形成装置、いわゆる複写機、レーザープリンタ等の画像形成装置に供する定着装置に関するものである。
【背景技術】
【０００２】
従来から、電子写真方式を利用した画像形成装置は公知技術となっている。例えば、像担持体である感光ドラムの表面に静電潜像を形成し、感光ドラム上の静電潜像を現像剤であるトナー等によって現像して可視像化し、現像された画像を転写装置により記録紙（シートあるいは記録媒体ともいう）に転写して画像を担持させ、圧力や熱等を用いる定着装置によって記録紙上のトナー画像を定着し、定着された記録紙は、排紙経路を通り、装置外に排出される構成をとる。
【０００３】
ここで、定着装置には、対向するローラもしくはベルトもしくはそれらの組み合わせにより構成された定着回転体が配置されており、記録紙を挟みこみ、熱および圧力を加え、上記トナー像を記録紙上に定着する。
【０００４】
定着回転体は例えば、２つのローラに掛け渡され、表面が加熱される定着ベルトと、定着ベルトに当接する加圧ローラが配置されている（例えば、特許文献１参照。）。あるいは、表面が加熱される定着ローラと、定着ローラに当接する加圧ベルトが配置される構成もある。いずれの構成においても、定着部材（定着ベルト、定着ローラ）と加圧部材（加圧ベルト、加圧ローラ）とが当接して定着ニップ部を形成している。
【０００５】
定着装置に到達したトナー転写済みの記録紙は、定着部材と加圧部材の当接部分である定着ニップ部に入り、記録紙が定着ニップ部を通過する過程で、転写されたトナー像が加熱および加圧され定着されるようになる。
【０００６】
そして、定着ニップ部の搬送方向下流（記録紙排出側）の定着部材側には、分離爪（分離板）が該定着部材と接触あるいは非接触で設置されており、定着部材表層に巻きつきながら定着ニップ部を出た記録紙を分離させることが行なわれる。
【０００７】
一方、定着ニップ部の搬送方向下流（記録紙排出側）の加圧部材側には、搬送ガイド板（搬送ガイド部ともいう）が加圧部材と非接触に設置されており、定着ニップ部を出た記録紙を定着装置外に案内している。また、搬送ガイド板は、定着ニップ部での記録紙の紙詰まり（いわゆるジャム）が発生したときに、その記録紙を取り除くために、定着ニップ部を露出させるように移動可能な構造となっている。すなわち、搬送ガイド板は、通常時（記録紙が正常に定着ニップ部を通過するとき）には、記録紙を定着装置外に案内する位置（閉状態）に配置され、ジャム発生時には、定着ニップ部を露出させる位置（開状態）に配置されるように使用者が手動で切替可能な構造とされている。
【０００８】
ここで、搬送ガイド板において、そのための従来の構造しては、例えばスプリングを搬送ガイド板と定着装置のフレームに架け渡して、閉状態のときに搬送ガイド板を一定の力で加圧部材側に付勢して所定の位置に固定しておき、ジャム発生時には使用者がそのスプリングの力に抗して搬送ガイド板を移動させることにより定着ニップ部を露出できるものであった。
【０００９】
ところで、画像形成装置においては、従来から省スペース化が求められており、定着装置においてもさらなるコンパクト化の要求がある。このような状況下で、搬送ガイド板における前記スプリング構造を見直す必要があった。
【００１０】
【特許文献１】特開２００８−５８７５７号公報
【発明の開示】
【発明が解決しようとする課題】
【００１１】
本発明は、以上の従来技術における問題に鑑みてなされたものであり、搬送ガイド部の機能を維持しつつ、省スペース化が可能な定着装置及び該定着装置を用いた画像形成装置を提供することを目的とする。
【課題を解決するための手段】
【００１２】
前記課題を解決するために提供する本発明は、以下の通りである。
〔１〕  回動可能に設けられる定着部材（定着ベルト１２）と、前記定着部材に当接し定着ニップ部（定着ニップ部Ｎ）を形成する加圧部材（加圧ローラ１３）と、前記定着ニップ部のシート排出側で、前記加圧部材を覆う位置に配置されガイド面（ガイド面１７ｂ）が該定着ニップ部を通過したシート（シートＰ）の当該定着装置外への搬送をガイドする位置となる閉状態と、前記加圧部材を覆う位置から退避した位置に配置され前記定着ニップ部を外部に露出させる開状態とに切替可能な搬送ガイド部（出口ガイド板１７）と、前記定着部材、加圧部材、搬送ガイド部を収納及び支持するフレーム（フレーム１９）と、を備える定着装置であって、前記搬送ガイド部が閉状態に配置されるとき、前記搬送ガイド部に設けられた突き当て部（突き当て部１７ｃ）と、フレームに設けられた受け部（受け部１９ａ）とが当接して、前記加圧部材及び定着ニップ部に対する搬送ガイド部の位置が決められ、前記突き当て部、受け部のうち、いずれか一方が磁石（磁石１７ｄ）を含み、他方が強磁性体から構成されることにより、該突き当て部が受け部に所定の力で固定される定着装置（図１，図３）。
〔２〕  前記突き当て部は、前記搬送ガイド部においてシート幅方向の２ヶ所に設けられる前記〔１〕に記載の定着装置（図６）。
〔３〕  前記磁石は、キュリー温度が１５０℃より大の永久磁石である前記〔１〕に記載の定着装置。
〔４〕  前記突き当て部は磁石を内包し、前記受け部は強磁性体から構成される前記〔１〕に記載の定着装置（図３）。
〔５〕  前記搬送ガイド部は、前記突き当て部を含めた一体成型品である前記〔４〕に記載の定着装置。
〔６〕  前記突き当て部における受け部との当接部分から磁石までの肉厚（ｔ）は、２ｍｍ以下である前記〔４〕に記載の定着装置（図４）。
〔７〕  前記突き当て部は、凹部を有し、該凹部に前記磁石が挿入されてなる前記〔４〕に記載の定着装置（図４）。
〔８〕  前記磁石の凹部への挿入方向（Ｄ方向）は、前記搬送ガイド部の開閉切替による突き当て部の移動方向（Ｅ方向）とは異なる前記〔７〕に記載の定着装置（図４）。
〔９〕  前記搬送ガイド部は、前記ガイド面（ガイド面１７ｂ）と、一端が該ガイド面に連設され、他端がフレーム（側板１９ｓ）に回動可能な支点（支点１７ａ１）として固定されたガイドアーム（ガイドアーム１７ａ）とからなり、該ガイドアームの回動操作により当該搬送ガイド部の開閉切替が行われる前記〔１〕に記載の定着装置（図３，図４）。
〔１０〕  前記突き当て部は、前記ガイドアームにおける前記ガイド面と支点との間に設けられる前記〔９〕に記載の定着装置（図４）。
〔１１〕  前記ガイドアームは、前記フレームにおいてシート幅方向左右それぞれに配置された側板よりも内側に配置され、前記突き当て部及び受け部は、隣接するガイドアームと側板との間に設けられる前記〔９〕に記載の定着装置（図３）。
〔１２〕  前記突き当て部が受け部に固定される力は、前記搬送ガイド部全体として２００〜５００ｇｆとなる前記〔１〕に記載の定着装置。
〔１３〕  前記〔１〕〜〔１２〕のいずれかに記載の定着装置を備える画像形成装置（図７）。
【発明の効果】
【００１３】
本発明の定着装置によれば、搬送ガイド部の機能を維持しつつ、省スペース化を図ることができる。
【発明を実施するための最良の形態】
【００１４】
以下に、本発明に係る定着装置の構成について図面を参照して説明する。
図１は、本発明に係る定着装置の内部構成を示す概略図である。
図１に示すように、本発明に係る定着装置１００は、定着カバー（不図示）の内部に、定着ローラ１１及び加熱ローラ１４に一定のテンションで架け渡された定着部材（定着ベルト１２）と、該定着部材（定着ベルト１２）に対して回転自在に圧接し定着ニップ部Ｎを形成する加圧部材（加圧ローラ１３）と、前記定着ニップ部Ｎのシート排出側であって先端が定着部材（定着ベルト１２）に近接して配置され該定着部材（定着ベルト１２）へのシートＰの巻き付きを防止する分離板１６と、定着ニップ部Ｎを通過したシートＰの当該定着装置外への搬送をガイドする搬送ガイド部１７と、を備える。
【００１５】
ここで、定着ベルト１２は、定着ローラ１１と加熱ローラ１４の周囲に掛けまわされた状態で、テンションローラ１５で押えられて張力が付与されており、定着ローラ１１、加熱ローラ１４に密着している。以上のように構成した定着ベルト１２に、定着ローラ１１に対向する箇所に加圧ローラ１３を押し当てることで、定着ニップ部Ｎを構成している。
【００１６】
また、定着ベルト１２は、耐熱樹脂の無端フィルムであるＰＩ（ポリイミド）ベルトで構成されている。厚みは５０〜９０μｍ程度が適当である。ベルト基材の上には、画像のしなやかさを維持する為に、シリコーンゴム、フッ素ゴムなどの弾性層があり、この厚みは１００〜３００μｍが適当である。さらに表層には、ＰＦＡやＰＴＦＥなどの離型層が設けられ、この厚みは２０〜５０μｍ程度である。離型層はチューブタイプのものを被せても良いし、液状や粉体のＰＦＡやＰＴＦＥの塗装・焼成による成膜も可能である。
【００１７】
定着ローラ１１は表層をシリコーンゴムなどの弾性層で覆われ、金属などの剛性の高い芯材で構成されている。芯材に適するのは、鉄やアルミであるが、高強度の樹脂でも構わない。表層の弾性体は、スポンジゴムが最も適当で、低硬度（５０Ｈｓ以下：アスカーＣ）での構成が可能であるためベルトへの負荷が少ないだけでなく、熱伝導が普通のゴムと比較して低いため、ベルトの熱を逃がしにくいという利点もある。
【００１８】
加熱ローラ１４の内側には、熱源１４ｈ（ハロゲンヒータや赤外線ヒータ、他の熱抵抗も可）を設け、サーミスタなどの温度検知手段１２ａによって、不図示の制御機構を介して熱源１４ｈの点灯を制御し、加熱ローラ１４または、定着ベルト１２の表面温度をコントロールしている。熱源１４ｈは、不図示の熱源保持部材により位置固定され、駆動する加熱ローラ１４に接触することのないようにローラの中心に配置される。
【００１９】
また、加熱ローラ１４はアルミや鉄などの金属で構成され、厚みは薄いほど良いが、定着ベルト１２の張力によって曲げ応力を受けるので、アルミなら０．４ｍｍ以上、鉄なら０．２ｍｍ以上の厚みが必要となる。加熱ローラ１４の内側には、熱源１４ｈからの熱を吸収しやすいよう、黒色などの熱吸収を促進する塗料を塗ったりしてもよい。
【００２０】
テンションローラ１５は、定着ベルト１２において加熱ローラ１４から定着ローラ１１に架け渡された領域のほぼ中間位置に設けられており、図１では定着ベルト１２のベルトループの内側から図示しないスプリングなどの押し付け部材で加圧する構成となっている。また、テンションローラ１５は、芯材に金属などの剛性の高い材料を使用し、表層を耐熱フェルトやシリコーンゴムなどのある程度の弾性を有した材料で覆われている。これらの表層材は、加圧時に定着ベルト１２を傷付けないことや、ある程度の精度を欠いた設定でも均一に押し付け力を確保できるほか、熱伝導がそれほど速くないため、定着ベルト１２からの放熱を防止することにも役立つ。なお、定着ベルト１２への張力付与として、テンションローラ１５を定着ベルト１２の外側から当てても良いし、加熱ローラ１４や定着ローラ１１を移動可能として、テンションローラ１５の替わりに用いても良い。
【００２１】
加圧ローラ１３は、金属のように剛性を持った芯材にシリコーンゴムなどの弾性体を配した構成を取る。表層にＰＦＡチューブなどの離型性の良い部材を巻くのが効果的である。この時、加圧ローラ１３の硬度を定着ローラ１１より高く設定すれば（ゴム厚みを薄くするとかゴム硬度を高くするなど）、定着ニップ部Ｎは定着ローラ１１側にへこんだ凹型になる。
【００２２】
図１では、定着ローラ１１（定着ベルト１２）側に加熱ローラ１４、熱源１４ｈを配置しているので、定着ローラ１１側の温度制御が容易で、その為に定着ローラ１１（定着ベルト１２）側を画像面としている。従って、定着ニップ部ＮはシートＰの画像面側に凹型となる。カラー画像はトナー量がモノクロよりも多いため、定着ベルト１２からシートが剥離しにくくなるという課題があるが、定着ローラ１１側に凹形状のニップとすることで、定着後のシートＰを定着ベルト１２から剥離させやすくすることが可能である。
【００２３】
分離板１６は、定着ベルト１２に巻き付きながら定着ニップ部Ｎから搬送されてくるシートＰを定着ベルト１２から強制分離させ、下流に搬送する役割を担っている。詳しくは、分離板１６は、定着ベルト１２の幅方向の両端、非通紙領域で突き当て固定されている。また、それ以外の領域では分離板１６は定着ベルト１２と非接触であり、０．２〜０．８ｍｍ程度のギャップを保ち配置されている。それにより定着ベルト１２の表面を傷つけることがないため、光沢スジやトナー汚れといった接触式の分離爪では頻繁に起こる問題も発生せず、画質向上につながる。なお、分離板１６は、１枚の板金を加工しても良いし、複数の板金を貼り合わせても良いし、また耐熱性のある樹脂による成型でも構わない。
【００２４】
搬送ガイド部の一態様である出口ガイド板１７は、シートＰを案内するガイド面を有し、加圧ローラ１３の下流に分離板１６と対向する位置に取り付けられ、シートＰの下流への搬送ガイドとしての役割を担っている。シートＰは画像面となる定着ローラ１１側に巻き付く方向で定着ニップ部Ｎから搬送されてくるため、出口ガイド板１７と加圧ローラ１３とのギャップは、分離板１６と定着ベルト１２との関係ほどシビアに管理する必要はない。
【００２５】
ところで、出口ガイド板１７については、定着装置内部でのジャム発生時にユーザーがジャム処理をするために操作して容易に定着ニップ部Ｎを外部に露出させて定着ニップ部Ｎに詰まったシートを取り除くことのできる開状態とすることのできる構成とする必要がある。そのため、出口ガイド板１７は、ユーザー（使用者）の手動操作により、加圧ローラ１３を覆う位置に配置されガイド面が定着ニップ部Ｎを通過したシートＰの当該定着装置外への搬送をガイドする位置となる閉状態と、加圧ローラ１３を覆う位置から退避した位置に配置され定着ニップ部Ｎを外部に露出させる開状態とに切替可能となっている。
【００２６】
しかし、このときジャム処理後の操作（閉状態とする操作）が不十分で、出口ガイド板１７のセット位置が中途半端となるハーフセット状態となってしまうとガイド面が正常な位置に配置されずに搬送経路が狂ってしまい再びジャムを起こしてしまうことになる。そのため、出口ガイド板１７は、閉状態とされるときに何らかの手段で加圧し、ジャム処理操作後も常に元の位置（閉状態の位置）まで強制的に戻るようにして、位置を固定させる必要があった。
【００２７】
従来用いられてきた主な加圧手段を図２に示す。図２は、図１において矢印Ａから定着装置を見た斜視図であり、加圧ローラ１３の軸方向の端部付近で出口ガイド板９７、加圧ローラ１３等を切断してそれらの断面が見えるように示している。従来の加圧方法は、図２に示すような引張スプリング９１による加圧方法であり、具体的には、スプリングバネである引張スプリング９１の一端を出口ガイド板９７のアームに設けられた突起部９２に引っかけ、他端を定着装置のフレームに設けられたスプリングフック９３に引っかけて、引張スプリング９１のバネ収縮する力により、出口ガイド板９７が加圧ローラ１３側に引張られる状態（アームがフレームに固定された支点を中心に加圧ローラ１３側に回転する状態）とされ、さらに出口ガイド板９７の所定部分が前記フレームに設けられた受け部９９ａに当接して出口ガイド板９７のガイド面が所定位置に配置されるようになっていた。
【００２８】
しかしながら、この加圧方法を採用するには関係部品のレイアウト上、引張スプリング９１、突起部９２、スプリングフック９３を配置するだけのスペースが必要であった。とくに、加圧ローラ１３と出口ガイド板９７との間のスペースや出口ガイド板９７とフレームの背板との間のスペースが必要であった。
【００２９】
また、このスプリング加圧方法では、定着装置に組み込む場合に他部品が存在する狭いスペースの中で引張スプリング９１をセットしなければならないため、組付け性がかなり悪いという難点もあった。さらには、出口ガイド板９７は樹脂製であり、受け部９９ａは鉄などの金属製であって、出口ガイド板９７の所定部分が受け部９９ａに常にスプリングによる加圧により押し当てられる状態（図中の黒い矢印方向への加圧状態）となるため、経時劣化（出口ガイド板９７所定部分あるいは受け部９９ａの変形）の不具合の発生も考えられた。
【００３０】
そこで、発明者らは、スプリングによる加圧方法以外の固定方法として、磁石に磁性体が接近したときにその磁力により発生する吸着力を利用した方法によればそれほどスペースを要しないことに着目し、鋭意検討を行い本発明を成すに至った。以下、本発明の要部について説明する。
【００３１】
図３は、本発明に係る定着装置の要部構成を示す斜視図である。なお、この図は、図１の定着装置１００において、矢印Ｂからであって紙面裏側から見た装置端部付近の構成を示している。
本発明に係る定着装置１００は、定着ニップ部Ｎのシート排出側で、加圧ローラ１３を覆う位置に配置されガイド面１７ｂが定着ニップ部Ｎを通過したシートの当該定着装置外への搬送をガイドする位置となる閉状態と、前記加圧ローラ１３を覆う位置から退避した位置に配置され定着ニップ部Ｎを外部に露出させる開状態とに切替可能な搬送ガイド部（出口ガイド板）１７と、定着ベルト１２、加圧ローラ１３、出口ガイド板１７を収納及び支持するフレーム１９と、を備える。なお、定着ベルト１２は、フレーム１９に収納、支持される定着ローラ１１，加熱ローラを介してフレーム１９に間接的に支持される構成となっている。
【００３２】
ここで、出口ガイド板１７は、定着ニップ部Ｎを通過するシートと少なくとも同程度の幅をもち、該シートを当該定着装置外へガイドする板形状のガイド面１７ｂと、ガイド面１７ｂの両端部それぞれに一端が連設され、他端がフレーム１９に回動可能な支点１７ａ１として固定された１対のガイドアーム１７ａ（図３ではその一方のみ記載）と、１対のガイドアーム１７ａそれぞれの側面に設けられた突き当て部１７ｃと、からなる樹脂製の成型品である。すなわち、出口ガイド板１７では、例えばユーザーがガイド面１７ｂの幅方向の中央付近に設けたつまみを持ってガイド面１７ｂを持ち上げたり、下げたりすることにより、ガイドアーム１７ａが支点１７ａ１を中心に回転し、前記開状態、閉状態の切替が手動でできるようになっている。
【００３３】
フレーム１９は、出口ガイド板１７が閉状態に配置されるとき、出口ガイド板１７に設けられた突き当て部１７ｃと当接して、加圧ローラ１３及び定着ニップ部Ｎに対する出口ガイド板１７の位置を決定する受け部１９ａを有する。また、フレーム１９は、少なくとも底板と該底板上にシート幅方向左右それぞれに対向して配置される２枚の側板１９ｓとから構成され、定着装置１００における定着ベルト１２、定着ローラ１１、加熱ローラ１４、加圧ローラ１３、出口ガイド板１７の配置関係の基準となる。なお、受け部１９ａは側板１９ｓからシート幅方向であってガイドアーム１７ａ側（つまり装置内部側）に張り出した板面であり、側板１９ｓに一体的に設けられたものである。この側板１９ｓは、例えば亜鉛めっき鋼板などの金属板が加工されたものであることから、受け部１９ａはこの金属板を曲げ延ばすように板金加工したものとすればよい。
【００３４】
このとき、１対のガイドアーム１７ａは、ともにフレーム１９においてシート幅方向左右それぞれに配置された側板１９ｓよりも内側に配置され、それぞれのガイドアーム１７ａの支点１７ａ１は隣接する側板１９ｓに設けられた切欠き部に嵌め込まれる態様で、回転可能に固定される。また、突き当て部１７ｃは、ガイドアーム１７ａの隣接する側板１９ｓ側の側面に張り出して設けられたものである。これにより、突き当て部１７ｃと受け部１９ａは、隣接するガイドアーム１７ａと側板１９ｓとの間に設けられ、当接するようになる。
【００３５】
本発明では、以上の構成において突き当て部１７ｃ、受け部１９ａのうち、いずれか一方が磁石を含み、他方が強磁性体から構成されることとする。これにより、突き当て部１７ｃが受け部１９ａに当接したとき、該突き当て部１７ｃが受け部１９ａに所定の力で固定されるようになる。図３では、突き当て部１７ｃは直方体の磁石１７ｄを内包し、受け部１９ａは強磁性体から構成されるものを示している。なお、磁石１７ｄを内包させる突き当て部１７ｃの位置としては出口ガイド板１７の端部（ガイドアーム１７ａの側面）だけではなく、出口ガイド板１７において案内するシートに影響がない限り、該シート幅方向のどの部分であっても良いが、突き当て部１７ｃの受けとなる受け部１９ａを構成する磁性体を配置する都合や後述する磁石１７ｄの内包（挿入）方向等を考えると、出口ガイド板１７の端部に配置する構成が好適である。
出口ガイド板１７のこれ以外の構成としては、フレーム１９の受け部１９ａに磁石を固定し、突き当て部１７ｃに鉄部材を内包させたものが挙げられる。
【００３６】
このような構成とすることで、前述したスプリング９１の取り付けのような難しい組付け作業は不要となる。また、定着装置１００において、レイアウト的にもスペースに余裕のある箇所を選んで強磁性体と磁石を配置するだけで良いため、設計の自由度が広がることになる。さらに磁力による吸着力で出口ガイド板１７とフレーム１９とを引き合わせているため、フレーム１９の受け部１９ａのみが一方的に圧力を受けることがなくなり、経時劣化も軽減でき、突き当て部１７ｃや受け部１９ａの変形も抑制することができる。
【００３７】
ところで、定着装置１００は、未定着のトナー像が載ったシートに熱と圧力をかけて定着させる装置であるため、装置内部の部品である磁石１７ｄも高温にさらされることになる。具体的には、その際の定着ニップ部Ｎ周辺の温度は通常使用時で１５０℃になることがある。したがって、磁石１７ｄは、耐熱性が必要であり、少なくとも磁力がなくなる温度であるキュリー温度が１５０℃より大の永久磁石であることが好ましい。
【００３８】
このような磁石１７ｄの材料としては、ネオジム磁石（Ｎｄ2Ｆｅ14Ｂ）やサマリウムコバルト磁石（ＳｍＣｏ5（１-５系），Ｓｍ2Ｃｏ17（２-１７系））が挙げられる。このうち、ネオジム磁石は、そのキュリー温度が３１０℃であり、また磁石としての磁力が最も強い部類に入るとともに、現在では流通量が最も多く、そのために価格的なメリットも大きいものである。また、サマリウムコバルト磁石としては、ＳｍＣｏ5（１-５系）とＳｍ2Ｃｏ17（２-１７系）のいずれでもよい。これらは、磁力がネオジム磁石に次ぐものであるが、キュリー温度が７００〜８００℃と非常に高く使用可能温度も３５０℃と高いため、好適である。
【００３９】
つぎに、図４，図５に、本発明に係る定着装置の要部断面を示す。ここでは、図３において切断面Ｃにおける断面構造を示しており、図４は出口ガイド板１７が閉状態の構成、図５は開状態の構成である。すなわち、図４では出口ガイド板１７が加圧ローラ１３を覆う位置に配置されガイド面１７ｂが定着ニップ部Ｎを通過したシートの当該定着装置外への搬送をガイドする位置となる閉状態となっており、図５では出口ガイド板１７が加圧ローラ１３を覆う位置から退避した位置に配置され同時にガイド面１７ｂが退避して定着ニップ部Ｎを外部に露出させる開状態となっている。
【００４０】
ここで、出口ガイド板１７は、少なくともガイドアーム１７ａ、ガイド面１７ｂ、突き当て部１７ｃを含めた一体成型品であり、例えば射出成形による樹脂成型品である。
【００４１】
このとき、樹脂成型においては型に樹脂を流し込んで成型するには樹脂の厚みが最低でも０．５ｍｍ程度はないと型の中で樹脂がうまく流れず成型できない。一方、樹脂の厚み（肉厚）を厚くしすぎると今度は磁石１７ｄと強磁性体である受け部１９ａのギャップが広がり磁力が弱まるため、必要以上に樹脂の厚みを厚くするのも好ましくない。したがって、突き当て部１７ｃにおける受け部１９ａとの当接部分から磁石１７ｄまでの肉厚ｔは、０．５〜２ｍｍであることが好ましく、より好ましくは０．５〜１ｍｍである（図４）。
【００４２】
また、突き当て部１７ｃは、凹部を有している。これにより、該凹部に直方体の磁石１７ｄを挿入して内包することが可能である。磁石１７ｄは、例えば幅３ｍｍ×高さ３．５ｍｍ×奥行き９ｍｍの直方体のサマリウムコバルト磁石（Ｓｍ2Ｃｏ17（２-１７系））である。その際、突き当て部１７ｃの凹部への磁石１７ｄの固定は、接着剤による接着でも良いし、圧入によるはめ込みでも良い。
【００４３】
また、磁石１７ｄの凹部への挿入方向（図４のＤ方向）は、出口ガイド板１７の開閉切替による突き当て部１７ｃの移動方向（図４のＥ方向）とは異なることが好ましい。詳しくは、図４に示すように、出口ガイド板１７は支点１７ａ１を中心として回転することで開閉動作をするため、ユーザーによる開閉操作によって力を受ける方向はＥ方向の矢印となり、磁石１７ｄによる磁力方向は図４において下方向（ｆ方向）となっているが、出口ガイド板１７の突き当て部１７ｃへの磁石１７ｄの取り付け方向をこれらの方向に対して直交する方向であるＤ方向とする。これにより、開閉方向・磁力方向に対して挿入方向を異なる向きとすることで出口ガイド板１７の開閉動作や磁力による磁石１７ｄの脱落を防止することが可能となる。
【００４４】
また、図４において、突き当て部１７ｃは、ガイドアーム１７ａにおけるガイド面１７ｂと支点１７ａ１との間に設けられることが好ましい。すなわち、まず突き当て部１７ｃの設置位置をシートの搬送経路となるガイド面１７ｂよりも退避させた位置とするが、これはシートのサイズによらずシートがガイド面１７ｂにおいて搬送されている途中で突き当て部１７ｃに引っかかるといった搬送不具合を防止するためである。また、突き当て部１７ｃが支点１７ａ１にあると、出口ガイド板１７を固定するためには非常に強い力が必要となるとともに、ガイド面１７ｂの位置決め精度が悪くなるため、これを防止するものである。より好適には、出口ガイド板１７の先端であるガイド面１７ｂの位置精度を良くするために、ガイド面１７ｂの位置を決定する突き当て部１７ｃと出口ガイド板１７を回転させる支点１７ａ１との距離はできるだけ離すほうがよい。そこで、突き当て部１７ｃはガイドアーム１７ａのガイド面１７ｂ寄りであって、ガイド面１７ｂの搬送経路からは少しだけ退避した位置に配置される。
【００４５】
ところで、本実施形態として、磁石１７ｄを突き当て部１７ｃに内包させて一体化する構成としているが、その理由として、磁石１７ｄの強度面での弱さの問題と位置決め精度の問題が挙げられる。
【００４６】
すなわち、磁石は元々砂や土成分を焼成してできているため、強度としては弱く脆い（メッキ処理を施すことにより強度を上げる方法があるが、メッキ処理はコストアップにつながるだけでなく、磁石の磁力を弱めてしまうといった欠点があるため、メッキ処理をせずに磁石をそのまま使用する方が望ましい。）。そのような磁石１７ｄを強磁性体の受け部１９ａと直接接触させて出口ガイド板１７の位置決めをする構成とすると、閉状態とする際に磁石１７ｄが受け部１９ａから磁力による吸着の衝撃を直接受けることになって磁石１７ｄ自身が欠けてしまったり割れてしまったりする問題が起こりうる。
【００４７】
また、磁石１７ｄと受け部１９ａとを直接当接させるようにすると、磁石１７ｄに出口ガイド板１７の位置決めのための寸法精度が求められるようになるが、磁石１７ｄのような焼成品でその寸法精度を出そうとすることは困難である。
【００４８】
そこで、本発明では、図３，図４に示すように磁石１７ｄを樹脂製の出口ガイド板１７の突き当て部１７ｃで内包させることとしている。これにより、磁石１７ｄの磁力による吸引力を利用して突き当て部１７ｃを受け部１９ａに固定しつつ、受け部１９ａと当接する衝撃を樹脂である突き当て部１７ｃで緩和し、さらに樹脂成形品の突き当て部１７ｃと金属製の受け部１９ａの当接により位置決めの精度も向上させている。また、このように磁石１７ｄを樹脂で内包することができれば磁石１７ｄへの衝撃も緩和されるため磁石をメッキ処理なしで使用することも可能である。
【００４９】
つぎに、図６に、本発明に係る定着装置を上から見た構成を示す。定着装置１００は本体、全体が樹脂製のケースに収納されたユニットとされるが、ここではそのケースを省略して、出口ガイド板１７や分離板１６が見える状態を示している。
ここで、突き当て部１７ｃは、出口ガイド板１７においてシート幅方向（軸方向、図６において左右横方向）の少なくとも２ヶ所に設けられることが好ましい。とくに、図６に示すように、出口ガイド板１７の幅方向（軸方向）の両端に設けることが好適である。これにより、樹脂製の出口ガイド板１７が幅方向で左右対称に受け部１９ａで支持されるようになり、熱変形を防ぎ、ひいてはシートの適正なガイドが可能となる。
【００５０】
また、突き当て部１７ｃが受け部１９ａに固定される力は、出口ガイド板１７全体として２００〜５００ｇｆとなることが好ましい。この力は、磁石１７ｄの磁力による突き当て部１７ｃと受け部１９ａの吸着力であり、例えば図６においてユーザーが出口ガイド板１７の中央部Ｇをつまんで開閉操作するときに要する力である。吸着力が弱いと操作性は楽である半面、ユーザーがセット感を感じることができず、また定着装置１００をユニットとして扱うときなどに逆さまにしたとき、自重で出口ガイド板１７が受け部１９ａから外れて周辺に当たった損傷を受けたりする可能性がある。逆に吸着力が強すぎると操作性が悪くなる。この力の調整は、磁石１７ｄの磁束密度やサイズ、及び突き当て部１７ｃと受け部１９ａの当接箇所の数などにより可能である。
【００５１】
次に、本発明に係る画像形成装置について説明する。
図７に、本発明に係る画像形成装置であるタンデム型のカラー複写機の構成を示す。
カラー複写機である画像形成装置２００は、装置本体中央部に位置する画像形成部２００Ａと、該画像形成部２００Ａの下方に位置する給紙部２００Ｂと、を有するものであり、画像形成部２００Ａに本発明の定着装置１００を組み込んでいる。
【００５２】
画像形成部２００Ａには、水平方向に延びる転写面を有する転写ベルト２０２が配置されており、該転写ベルト２０２の下面には、色分解色と補色関係にある色の画像を形成するための構成が設けられている。すなわち、補色関係にある色のトナー（イエロー、シアン、マゼンタ、ブラック）による像を担持可能な像担持体としての感光体２０１Ｙ、２０１Ｃ、２０１Ｍ、２０１Ｋが転写ベルト２０２の転写面に沿って並置されている。
【００５３】
各感光体２０１Ｙ、２０１Ｃ、２０１Ｍ、２０１Ｋはそれぞれ同じ方向（反時計回り方向）に回転可能なドラムで構成されており、その周りには、回転過程において画像形成処理を実行する帯電装置、光書き込み装置２０９、１次転写装置、現像装置及びクリーニング装置が配置されている。また、各現像装置には、それぞれのカラートナー２Ｙ，２Ｃ，２Ｍ，２Ｋが収容されている。
【００５４】
転写ベルト２０２は、駆動ローラと従動ローラに掛け回されて感光体２０１Ｙ、２０１Ｃ、２０１Ｍ、２０１Ｋとの対峙位置において同方向に移動可能な構成を有している。また、従動ローラの１つであるローラ２０１ｂに対向する位置に転写ローラ２０５が設けられている。また、転写ローラ２０５から定着装置１００までのシートＰの搬送経路は縦パスとなっている。
【００５５】
給紙部２００Ｂは、記録媒体としてのシートＰを積載収容する給紙トレイ２０８と、該給紙トレイ２０８内のシートＰを最上のものから順に１枚ずつ分離して、転写ローラ２０５の位置まで搬送する搬送機構を有している。
【００５６】
本発明の画像形成装置２００における画像形成に当たっては、感光体２０１Ｙの表面が帯電装置により一様に帯電され、入力された画像情報に基づいて感光体２０１Ｙ上に静電潜像が形成される。該静電潜像はイエローのトナーを収容した現像装置によりトナー像として可視像化され、該トナー像は所定のバイアスが印加される１次転写装置により転写ベルト２０２上に１次転写される。他の感光体２０１Ｃ，２０１Ｍ，２０１Ｋでもトナーの色が異なるだけで同様の画像形成がなされ、それぞれの色のトナー像が転写ベルト２０２上に静電気力で順に転写されて重ね合わせられる。
【００５７】
つぎに、感光体２０１Ｙ、２０１Ｃ、２０１Ｍ、２０１Ｋから転写ベルト２０２上に１次転写されたトナー像は、ローラ２０７，２０６、転写ローラ２０５により搬送されてきたシートＰに転写される。トナー像が転写されたシートＰは、さらに定着装置１００まで搬送され、定着ベルト１２と加圧ローラ１３との定着ニップ部Ｎにて定着が行なわれる。
【００５８】
ついで、定着ニップ部Ｎから排出されたシートＰは排出経路に沿って送り出される。このとき、定着ベルト１２に巻き付いたままでてきたシートＰは分離爪１６にて定着ベルト１２から分離されて、排出経路に戻され、出口ガイド板１７にしたがって定着装置１００から排出される。
【００５９】
以上のように、本発明に係る定着装置１００を有する画像形成装置により、シートＰにジャムを発生させることなく、良好な画像形成が可能となる。なお、定着装置１００でジャムが発生したときには、定着装置１００をユニットとして画像形成装置２００から引き出した後、出口ガイド板１７を手動で開状態として必要なジャム処理を行うことができる。
【実施例】
【００６０】
以下、本発明の実施例を説明する。
（実施例１）
図６に示す定着装置１００（Ａ３サイズ縦を通紙可能な装置）を、以下の条件で作製し、出口ガイド板１７の開閉操作を確認した。
（１）出口ガイド板１７
（ａ）突き当て部１７ｃ
（ｉ）受け部１９ａとの当接部分から磁石１７ｄまでの肉厚ｔ＝１ｍｍ
（ii）設置箇所；１対のガイドアーム１７ａの側面それぞれに１箇所（合計２ヶ所）
（ｂ）磁石１７ｄ；幅３ｍｍ×高さ３．５ｍｍ×奥行き９ｍｍの直方体のサマリウムコバルト磁石（Ｓｍ2Ｃｏ17（２-１７系））
（２）フレーム１９
（ｂ）側板１９ｓ及び受け部１９ａ；１枚の亜鉛めっき鋼板を板金加工して作製した。
【００６１】
以上の構成の定着装置１００において、出口ガイド板１７の中央部Ｇにバネ量りを取り付け、該バネ量りを介して出口ガイド板１７の開閉操作を行ったところ、３６０〜４３０ｇｆの最大荷重（初期荷重）を測定した。
また、磁石１７ｄについて室温から１５０℃まで加熱し再度室温まで空冷する加熱冷却サイクルを１０回繰り返した後に、同様に出口ガイド板１７の開閉操作を行ったが、最大荷重は前記初期荷重と同じであった。
【００６２】
なお、これまで本発明を図面に示した実施形態をもって説明してきたが、本発明は図面に示した実施形態に限定されるものではなく、他の実施形態、追加、変更、削除など、当業者が想到することができる範囲内で変更することができ、いずれの態様においても本発明の作用・効果を奏する限り、本発明の範囲に含まれるものである。
【００６３】
例えば、ここでは定着装置１００として定着部材として定着ベルト１２、加圧部材として加圧ローラ１３を配置した構成例を示したが、これに限定されるものではなく、ローラタイプの定着部材とローラタイプの加圧部材の組み合わせ、ローラタイプの定着部材とベルトタイプの加圧部材の組み合わせ、ベルトタイプの定着部材とベルトタイプの加圧部材の組み合わせのいずれの構成としてもよい。
【図面の簡単な説明】
【００６４】
【図１】本発明に係る定着装置の構成を示す断面図である。
【図２】従来の定着装置における出口ガイド板の加圧手段の構成を示す斜視図である。
【図３】本発明に係る定着装置の要部構成を示す斜視図である。
【図４】本発明に係る定着装置において出口ガイド板が閉状態のときの要部構成を示す断面図である。
【図５】本発明に係る定着装置において出口ガイド板が開状態のときの要部構成を示す断面図である。
【図６】本発明に係る定着装置の全体構成を示す上面図である。
【図７】本発明に係る画像形成装置の構成を示す断面図である。
【符号の説明】
【００６５】
１１    定着ローラ
１２    定着ベルト
１２ａ  温度検知手段
１３    加圧ローラ
１４    加熱ローラ
１４ｈ    熱源
１５    テンションローラ
１６    分離板
１７，９７    出口ガイド板（搬送ガイド部）
１７ａ    ガイドアーム
１７ａ１    支点
１７ｂ    ガイド面
１７ｃ    突き当て部
１７ｄ    磁石
１９    フレーム
１９ａ    受け部
１９ｓ    側板
９１    引張スプリング
９２    突起部
９３    スプリングフック
９９ａ    受け部
１００    定着装置
２００    画像形成装置
２００Ａ    画像形成部
２００Ｂ    給紙部
２０１ａ，２０１ｂ    従動ローラ
２０１Ｙ，２０１Ｃ，２０１Ｍ，２０１Ｋ    感光体
２０２    転写ベルト
２０５    転写ローラ
２０６，２０７    ローラ
２０８    給紙トレイ
２０９    光書込み装置
ｆ    吸着力
Ｎ    定着ニップ部
Ｐ    シート
【図１】
2010085603.tif 000003
【図２】
2010085603.tif 000004
【図３】
2010085603.tif 000005
【図４】
2010085603.tif 000006
【図５】
2010085603.tif 000007
【図６】
2010085603.tif 000008
【図７】
2010085603.tif 000009